(57)【特許請求の範囲】
【請求項１】
搬送路中に複数の搬送部材が配置されてシート材を搬送する構成を備えたシート搬送装置において、
上記搬送路終端側に位置して上記シート材を挟持搬送可能な第１の搬送部材と、該第１の搬送部材よりも上記シート材の搬送方向上流側に配置されて上記第１の搬送部材に対する上記シート材の搬送タイミングを設定可能かつ挟持搬送可能な第２の搬送部材とを備え、
上記第１の搬送部材は、上記シート材の挟持圧力を、上記シート材の搬送路の雰囲気中での温湿度に応じて変更可能であると共に、該挟持圧力の変更タイミングを上記シート材の搬送路の雰囲気中での温湿度に応じて設定可能にしていることを特徴とするシート搬送装置。
【請求項２】
搬送路中に複数の搬送部材が配置されてシート材を搬送する構成を備えたシート搬送装置において、
上記搬送路終端側に位置して上記シート材を挟持搬送可能な第１の搬送部材と、該第１の搬送部材よりも上記シート材の搬送方向上流側に配置されて上記第１の搬送部材に対する上記シート材の搬送タイミングを設定可能かつ挟持搬送可能な第２の搬送部材とを備え、
上記第１の搬送部材は、上記シート材の挟持圧力を、上記シート材の搬送路の雰囲気中での温湿度および給送されるシートの種類に応じて設定可能であると共に、上記シートの搬送過程において上記挟持圧力の変更タイミングを上記シートの種類に応じて設定可能であることを特徴とするシート搬送装置。
【請求項３】
請求項１又は２記載のシート搬送装置において、
上記第１の搬送部材における上記シート材の挟持圧力は、上記シート材のサイズに応じて変更可能であることを特徴とするシート搬送装置。
【請求項４】
請求項１乃至３のうちの一つに記載のシート搬送装置を用いる画像形成装置であって、
上記第１の搬送部材は上記シート材への画像転写部材であり、上記第２の搬送部材がレジストローラで構成されていることを特徴とする画像形成装置。
【発明の詳細な説明】
【０００１】
【発明の属する技術分野】
本発明は、シート搬送装置および画像形成装置に関し、さらに詳しくは、シート搬送速度を一定化するための構造に関する。
【０００２】
【従来の技術】
複写機やプリンタあるいはファクシミリ装置などの画像形成装置においては、潜像担持体である感光体表面に担持されたトナー像などの可視像が記録紙などのシートに転写され、そのシートが定着装置により加熱定着された後、排出される。
シートは搬送装置として装備されているシート給送装置に設けられているカセット等に収容され、そのカセットから１枚づつ分離されて繰り出される。
画像形成装置には、単色の画像を形成する場合の他に、フルカラーなどの多色画像を形成する場合がある。
【０００３】
図１は、フルカラー複写機に用いられる構成の一つを示す模式図であり、同図において、フルカラー複写機１は、単一のドラム状感光体（以下、感光体ドラムという）２を備えており、感光体ドラム２は、図示矢印方向に回転する。
感光体ドラム２の周囲には、回転方向に沿って、帯電装置３、書き込み装置（図では書き込み用光路が示されている）４、現像装置５，中間転写装置６およびクリーニング装置１０がそれぞれ配置されている。
【０００４】
感光体ドラム２は、複数の色に対応した静電潜像が書き込み装置４からの光書き込みによって形成されるようになっており、静電潜像は、現像装置５に装備されて書き込み装置４において書き込まれる分解色と補色関係にある現像トナー（イエロー（図において符号Ｙで示してある）、マゼンタ（同、符号Ｍで示してある）、シアン（同、符号Ｃで示してある）およびブラック（同、符号Ｂで示してある））を収容した現像器５Ａ、５Ｂ、５Ｃおよび５Ｄによって可視像処理され、可視像とされた色のトナー像が中間転写装置６に対して重畳転写される。
【０００５】
中間転写装置６は、各色のトナー像が一時的に転写される部分であるとともに、一時的に転写されて重畳された画像を記録シートに対して一括転写することができる部分であり、複数のプーリ６Ａ〜６Ｃに掛け回された中間転写ベルト６Ｄと、中間転写ベルト６Ｄに当接して転写バイアスを印加する転写ローラ６Ｅとを備えている。
【０００６】
中間転写ベルト６Ｄは、抵抗層として１５０μｍ程度の厚みを有するＥＰＤＭ、ＢＲ、クロロプレインゴムなどの材料が用いられ、体積抵抗が１０5Ω〜１０12Ωに設定され、好ましくは、１０7Ω〜１０10Ωの範囲に設定されている。さらに表面には、１０μｍ前後の厚みで１０10Ω〜１０15Ωに調整されたフッ素系の樹脂コーティングが施されており、表面での電荷維持、トナーが堆積して薄層化する現象であるフィルミングを防止できるようになっている。
【０００７】
転写ローラ６Ｅは、中間転写ベルト４上に担持されている重畳画像を記録シートに一括転写するための部材であり、駆動軸を兼用した芯金に厚さ１０〜３０ｍｍ程度の抵抗層として平滑性のあるＥＰＤＭ、ＳＢＲ、ＢＲ、クロロプレンゴム等の材料が用いられて体積抵抗が１０7〜１０10Ωに設定され、アスカー硬度が３０°（日本ゴム協会標準規格ＳＲＩＳ０１０１）前後に設定されたローラで構成されている。
転写ローラ６Ｅは、図示しない電源から定電流制御による転写バイアスが印加されており、中間転写ベルト６Ｄとともに給紙装置７から繰り出される記録シートＳを挟持搬送しながら記録シートＳに対して転写バイアスを印加するようになっている。
給紙装置７には、記録シートＳの収容部とその収容部における記録シートの先端に対して接離可能な繰り出しローラ７Ａとが設けられて、収容部内から１枚ずつ記録シートＳを繰り出すようになっている。
【０００８】
中間転写ベルト６Ｄと転写ローラ４Ｅとの対向位置である転写位置の前方にはレジストローラ８が配置されており、中間転写ベルト６Ｄ上に担持されている重畳画像との転写開始位置を整合調整されて記録シートＳが転写位置に向けて給送されるようになっている。
転写ローラ４Ｅによる一括転写が行われた記録シートＳは、転写装置４の後方に位置する定着装置９によって加熱定着されて図示しないトレイ上に排出される。
【０００９】
中間転写ベルト４Ｄに対する画像転写が終了した感光体ドラム２が移動してくる位置には、クリーニングブレード１０Ａおよび除電装置１０Ｂを備えたクリーニング装置１０が配置されており、クリーニングブレード１０Ａによって感光体ドラム２上の残留トナーが除去され、除電装置１０Ｂによって残留電荷が除電されるようになっている。
【００１０】
【発明が解決しようとする課題】
転写位置に向けて給送される記録シートは、中間転写ベルト４Ｄに担持されている画像の転写開始位置を整合されることが必要なものであり、このため、従来では、転写位置の前方にレジストタイミングを設定するためのレジストローラが設けられている。通常、転写位置での移動速度に対してレジストローラから記録シートを繰り出す際の速度の方が１〜３％程度速められており、具体的な例では、転写位置での線速が２００ｍｍ／ｓｅｃであるのに対して、レジストローラでの線速は２０２．４ｍｍ／ｓｅｃなどとされている。これは、転写位置において記録シートがレジストローラ側に引きずられて画像にずれが発生するのを防止するためである。このような画像ずれや搬送不良を防止するための方法として、記録シートの先端が転写位置で堰き止められる格好とすることで記録シートをループ状に形成し、そのループ量を適正化できるように搬送タイミングを設定するようにした方法（例えば、特開平５−３３８８５４号公報）、上記ループを形成するための搬送速度を転写位置での記録シートの連動関係により変更して記録シートに不用意な張力が発生するのを防止するようにした方法（特開平６−２３９４８９号公報）、さらには、給送ローラの給送タイミングを設定することで適度の張力を記録シートに与えて皺などの搬送不良を防止するようにした方法（例えば、特開平７−３３４０６３号公報）がある。
【００１１】
しかし、これら各公報に開示されている方法は、いずれも転写位置に対する記録シートの繰り出しタイミングを設定して記録シートの張力を調整することが主眼となっており、次のような問題には対処できない。
一般にレジストローラから繰り出される記録シートは、上記公報にもあるように転写位置での移動速度よりも速い速度であることから、図２において実線で示すように転写位置に先端が到達した時点から時間が経過するに従って撓みを生じる（図２中、二点鎖線で示す状態）。この撓みによって記録シートＳがループ形状を呈する。転写位置では、記録シートの剛性により進行方向に押す力が発生するので、記録シートＳが押されて転写位置での速度よりも速い速度で移動することになる。
【００１２】
レジストローラ８から記録シートＳの後端が外れると、記録シートＳは、それまでの速度で移動していた状態から転写位置での挟持搬送速度に順じた速度で進行することになる。このため、記録シートＳは、先端がレジストローラから転写位置に移動して転写位置に達した時点と後端がレジストローラから外れた時点とで搬送過程における速度変化をきたし、このことが画像ずれを起こす原因となる。
【００１３】
近年ではフルカラー画像化や高画質かが進み、階調性においても１２００ｄｐｉ（約２０μｍ／ｄｏｔ）の細密度が要求されることが多く、ドットの大きさで２０μｍまでに小さくするような場合には上述した搬送過程での速度変化が発生すると、所望の高細密の画像を得ることができない。しかも、フルカラー画像の場合には、多色重ねによる画像形成が行われる関係上、速度変化により重畳されているトナーの積層方向での相対的なずれにより色ずれが発生したりするところがある。
【００１４】
本発明の目的は上記従来のシート搬送装置およびこれを用いる画像形成装置における問題に鑑み、搬送過程での速度変化の発生をなくして画像ずれを起こさせないようにして高品質の画像を形成することが可能な構成を備えたシート搬送装置および画像形成装置を提供することにある。
【００１５】
【課題を解決するための手段】
請求項１記載の発明は、搬送路中に複数の搬送部材が配置されてシート材を搬送する構成を備えたシート搬送装置において、上記搬送路終端側に位置して上記シート材を挟持搬送可能な第１の搬送部材と、該第１の搬送部材よりも上記シート材の搬送方向上流側に配置されて上記第１の搬送部材に対する上記シート材の搬送タイミングを設定可能かつ挟持搬送可能な第２の搬送部材とを備え、上記第１の搬送部材は、上記シート材の挟持圧力を、上記シート材の搬送路の雰囲気中での温湿度に応じて変更可能であると共に、該狭持圧力の変更タイミングを上記シート材の搬送路の雰囲気中での温湿度に応じて設定可能にしていることを特徴としている。
【００１６】
請求項２記載の発明は、搬送路中に複数の搬送部材が配置されてシート材を搬送する構成を備えたシート搬送装置において、上記搬送路終端側に位置して上記シート材を挟持搬送可能な第１の搬送部材と、該第１の搬送部材よりも上記シート材の搬送方向上流側に配置されて上記第１の搬送部材に対する上記シート材の搬送タイミングを設定可能かつ挟持搬送可能な第２の搬送部材とを備え、上記第１の搬送部材は、上記シート材の挟持圧力を、上記シート材の搬送路の雰囲気中での温湿度および給送されるシートの種類に応じて設定可能であると共に、上記シートの搬送過程において上記挟持圧力の変更タイミングを上記シートの種類に応じて設定可能であることを特徴としている。
【００２３】
請求項３記載の発明は、請求項１記載のシート搬送装置において、上記第１の搬送部材における上記シート材の挟持圧力は、上記シート材のサイズに応じて変更可能であることを特徴としている。
【００２４】
請求項４記載の発明は、請求項１乃至３のうちの一つに記載のシート搬送装置を用いる画像形成装置であって、上記第１の搬送部材は上記シート材への画像転写部材であり、上記第２の搬送部材がレジストローラで構成されていることを特徴としている。
【００２５】
【発明の実施の形態】
以下、図面により本発明の実施の形態を説明する。
図１は、本発明によるシート搬送装置を備えた画像形成装置の一例を示す実施例であり、同図に示す画像形成装置は、フルカラー画像を形成可能なカラー複写機である。なお、本発明では、画像形成装置として、図１に示す複写機だけではなく、プリンタ、ファクシミリ装置も含まれること勿論である。
【００２６】
図１に示したフルカラー画像形成装置の要部構成に関しては先に説明したので、省略し、図１における特徴部に関して説明する。
図１において記録シートＳの搬送経路は、始端側がレジストローラ８側であり、終端側が中間転写ベルト６Ｄ側である。搬送経路における終端側には、記録シートＳを挟持搬送可能な第１の搬送部材をなす転写ローラ６Ｅが配置されており、この終端側よりも記録シートＳの搬送方向（図中、矢印で示す）上流側に位置する第２の搬送部材をなすレジストローラ８が配置されている。
【００２７】
転写ローラ６Ｅは、中間転写ベルト６Ｄに当接可能に設けられており、当接した際の記録シートＳに対する挟持圧力が変更できるようになっている。
挟持圧力を変更するための構成としては、図２および図６に示すように、転写ローラ６Ｅに延長方向一端が係止されて転写ローラ６Ｅを中間転写ベルト６Ｄ側に向けて付勢するバネなどの弾性体１１と、弾性体１１の延長方向他端が係止されているカムフォロワ１２と、カムフォロワ１２に当接して回転可能な偏心カム１３とを備えている。
偏心カム１３は、制御部１４によって駆動制御されるモータＭによって回転量が設定されることにより、カムフォロワの昇降変位量を無段階に変更できるようになっている。
【００２８】
制御部１４は、レジストローラ８の回転量（図２中、符号８Ａで示すモータの回転量）が入力されることで記録シートＳの搬送方向での移動距離を割り出すことができ、記録シートＳの搬送方向先端が中間転写ベルト６Ｄと転写ローラ６Ｅとの対向位置である転写位置に達した時点とレジストローラ８から記録シートＳの後端が外れた時点とを割り出してモータＭの回転位置、換言すれば、カムフォロワ１２に対する周面の当接位置を変更できるようになっている。なお、レジストローラ８に対して記録シートＳの先端が挟持された状態は、図示しない検知センサによって検出され、その検出センサからの検出信号が制御部１４に出力された時点から予め設定されている時間経過後あるいは、レジストローラ８の回転量によって割り出すようになっている。
【００２９】
本実施例は、以上のような構成であるから搬送経路を移動する記録シートＳの搬送速度を挟持圧力の変更により制御することができる。つまり、挟持圧力は記録シートＳに対する転写ローラ６Ｅの滑りに影響し、挟持圧力が強くなるほど滑りが発生しない状態とされ、この結果、中間転写ベルト６Ｄの移動速度に一致しやすくなる。
【００３０】
図２において、転写位置に記録シートＳの先端が達すると、レジストローラ８の線速が転写位置でのそれよりも速く設定されていることが原因して記録シートＳが撓みを生じる（図２中、二点鎖線で示す状態）。記録シートＳの先端が転写位置を通過すると、レジストローラ８との線速の違いにより先端からある距離、本実施例では先端から１０ｍｍ程度進行した状態の時に撓みが発生するとその撓みによる剛性によって記録シートＳが押されてしまい、転写位置での線速よりも移動速度が速くなる。そこで、本実施例では、この状態の時に記録シートＳに対する挟持圧力を高めて感光体ドラム２の速度に記録シートＳの速度を合わせるようになっている。これを可能にするためには、記録シートＳの先端が転写位置から所定距離移動したことを制御部１４において割り出した時点でモータＭを駆動し、偏心カム１３を回転させてカムフォロワ１２を介して弾性体１１の付勢力を強める。
【００３１】
レジストローラ８から記録シートＳの後端が外れると、記録シートＳは転写位置での移動速度に順じた速度で移動することになるので、このときには、挟持圧力を記録シートＳの先端が転写位置に到達した時点の圧力とする。
【００３２】
本実施例では、次のような挟持圧力が設定される。
使用環境の温度が２３°Ｃ、湿度が５０％の場合、転写位置から記録シートＳの先端が５０ｍｍ進行した時点で挟持圧力を１０Ｎとし、５０ｍＭ通過した時点から記録シートＳが撓み始めると挟持圧力を２０Ｎとし、さらに、レジストローラ８から記録シートＳの後端が外れた時点で挟持圧力を１０Ｎに復帰させる。このような挟持圧力の変更により、記録シートＳは、搬送過程全般において転写位置での滑りが変更されて一様な搬送速度を得ることができ、搬送過程での速度変化による画像ずれが防止されることになる。
【００３３】
次に本発明の実施の形態に関する別実施例を説明する。
図３に示す実施例は、給紙部が複数設けられている場合に記録シートＳが繰り出される給紙部に対応して挟持圧力を変更することを特徴としている。
給紙部としては、記録シートＳの収容部を有する給紙カセット（便宜上、符号７Ｃで示す）を設ける場合と、この給紙カセット７Ｃに加えて、手差し給紙部（便宜上、符号７Ｈで示す）を設ける場合がある。このような複数の給紙部を設ける場合には設置個所の違いによって記録シートＳが搬送過程において癖付けされることがある。つまり、給紙カセット７Ｃから繰り出される場合には、給紙カセット７Ｃからレジストローラ８に至る搬送路が折り返された状態であり、手差し給紙部７Ｈからレジストローラに至る搬送路は概ね直線状とされている。このため、給紙カセット７Ｃから繰り出された記録シートＳは、搬送路の形態に応じて巻き癖、所謂、カールが生じたままでレジストローラ８から繰り出されることになる。巻き癖のついた記録シートＳは、図３において実線で示すように、撓む量も多くなり、転写位置で進行する力が強くなるために、転写位置での移動速度が転写位置での線速よりも極端に大きくなる。
【００３４】
本実施例では、このような状態に対処するために、記録シートＳが繰り出される給紙部を検出する給紙部センサＳ１，Ｓ２が各給紙部の記録シート繰り出し位置に設けられており、給紙部センサＳ１，Ｓ２が制御部１４に接続されている。制御部１４では、給紙部センサＳ１，Ｓ２からの信号に応じて転写位置での挟持圧力を変更する様になっており、本実施例では、給紙カセット７Ｃから繰り出される場合には手差し給紙部７Ｈから繰り出される場合よりも早めに挟持圧力を高めるようにあっている。
【００３５】
本実施例の場合、給紙カセット７Ｃから繰り出された場合には、記録シートの先端が転写位置から３５ｍｍ通過した時点で挟持圧力を高め、手差し給紙部７Ｈから繰り出された場合には記録シートＳの先端が転写位置から５０ｍｍ通過した時点で挟持圧力を高めるようになっている。給紙カセット７Ｃから繰り出された場合には、記録シートＳの後端にも巻き癖がついていることが多いので、レジストローラ８から記録シートＳの後端が外れてからも高めた挟持圧力のままに維持し、転写位置に記録シートＳの後端から５０ｍｍの位置が差し掛かった時点で１５Ｎに復帰させるようになっている。
【００３６】
本実施例は以上のような構成であるから、給紙部からの繰り出し状態に応じて挟持圧力が変更される。特に、巻き癖による撓み量が大きくなり、転写位置での移動速度が転写位置での線速よりも速められる可能性がある給紙部からの繰り出し時にはそれ以外の給紙部からの繰り出し時よりも速めに挟持圧力を高める。これにより、巻き癖による転写位置での記録シートＳの移動速度が変化してしまうのを防止して搬送過程全般で一様な速度を維持することができる。本実施例では、給紙部の繰り出し状態を検知することで挟持圧力の変更タイミングを切り換えることで給紙部の種類に関係なく給紙部から繰り出された記録シートの変形状態を割り出してその変形状態に関係なく搬送速度を一様化することができる。
【００３７】
次に本発明の実施の形態に関する他の実施例について説明する。
図４に示す実施例は、記録シートの伸び縮みに影響する使用環境での温湿度に応じて挟持圧力を変更することを特徴としている。
図４において、制御部１４には、シート搬送装置が設置されている雰囲気の温湿度を検知する温湿度検知センサＳ３が接続されている。
制御部１４は、温湿度検知センサＳ３からの信号に応じて挟持圧力を変更すべく偏心カム３を回転制御する。
【００３８】
記録シートＳは、温湿度に応じて剛性が変化し、撓み量も変化する。例えば、高温高湿環境下では剛性が弱まるので撓み量も少なくなり、また低温低湿環境下では剛性が強まり、撓み量も多くなる。このため制御部１４では、剛性の変化による撓み量の違いによって転写位置での記録シートＳの進行状態、つまり転写位置での線速に対する記録シートの進行速度の変化に応じてこの移動進行速度が転写位置での線速に一致するように挟持圧力を変更するようになっている。
【００３９】
本実施例では、高温高湿度に相当する２８°、７０％の環境下において転写位置から記録シートの先端が７０ｍｍ通過するまでの間挟持圧力を１０Ｎとし、その後、１５Ｎとし、さらに、レジストローラ８から記録シートの後端が外れた時点でその後端から８０ｍｍの範囲を対象とする挟持圧力を１０Ｎに復帰させるようになっている。また、低温低湿度に相当する１０°、２０％の環境下においては、転写位置から記録シートＳの先端が４０ｍｍ通過するまでの間は挟持圧力を１０Ｎとし、その後、２２Ｎとし、さらにレジストローラ８から記録シートＳの後端が外れた時点で後端から８０ｍｍの範囲を１０Ｎに復帰させるようになっている。
【００４０】
本実施例は以上のような構成であるから、温湿度に応じて挟持圧力が変更される。特に、記録シートの剛性が低くなり撓み量も少なくなる高温高湿度の場合には、記録シートＳが転写位置で押し進む現象が弱くなるので、記録シートＳの先端が転写位置を通過する際の挟持圧力を弱め、また、これとは逆に記録シートＳの剛性が高まり撓み量も多くなる低温低湿度の場合には記録シートＳが転写位置で押し進む力を強くすることになるので、記録シートＳが転写位置を通過する際の挟持圧力を強めて転写位置での線速に記録シートＳの進行速度を一致させる。これにより、記録シートＳの搬送過程全般における搬送速度を一様化することができ、搬送速度の変化により発生する画像ずれを防止することができる。
【００４１】
次に本発明の実施の形態に関するさらに別の実施例について説明する。
図５に示す実施例は、記録シートの種類に応じて挟持圧力を変更することを特徴としている。
図５において、制御部１４には、記録シートＳの厚さを検知できる厚さ検知センサＳ４が接続されている。
制御部１４は、温湿度検知センサＳ３からの信号に応じて挟持圧力を変更すべく偏心カム３を回転制御する。
記録シートＳは、厚さによって剛性が異なり、厚い場合には剛性が強く、薄い場合には剛性が弱い。このため、剛性が強い場合には記録シートＳに発生する撓み量も多くなり、転写位置で記録シートＳが押し進む力も大きくなる。従って、記録シートＳの厚さが厚い場合には、転写位置での記録シートＳの進行速度が転写位置での線速よりも大きくなり、レジストローラ８で記録紙Ｓの後端が外れた場合の進行速度との差が大きくなる。本実施例では、制御部１４において、記録シートＳの厚さが厚い場合には、挟持圧力を高めて転写位置での線速に対して記録シートの進行速度を一致させるようになっている。本実施例に用いられる厚さ検知センサＳ４は、実際に搬送路を通過する記録シートＳの厚さを検知する構成に限らず、例えば、図示しない操作パネルに設けられている記録シートの類別スイッチなどを用いることも可能である。
【００４２】
本実施例では、通常使用される上質紙（厚さ９０μｍ）に対してはがきなどの厚い記録シートの場合（厚さ１８０μｍ）には、転写位置を記録シートの先端が通過する時点から挟持圧力を１５Ｎとし、先端が転写位置から３０ｍｍ通過した時点で２５Ｎとし、レジストローラ８から後端が外れてその後端が転写位置に達するまでの間、２５Ｎの挟持圧力を維持するようになっている。
これに対し、４５Ｋの上質紙などのように厚さが薄い記録シートの場合には、剛性が比較的弱いことで撓み量も小さく転写位置での進行速度の変化も小さいので、転写位置を先端が通過する時点から後端が通過するまでの搬送過程全般において１０Ｎの挟持圧力を維持する。これにより、薄い紙の場合には挟持圧力が高められることによって皺などが発生するのを防止することができる。
【００４３】
記録シートＳの厚さなどの性状に基づき挟持圧力を変更する場合としては、記録シートＳのサイズに基づく場合がある。この場合には、記録シートＳの幅によって転写位置での記録シートＳの進行速度が変化する。つまり、Ａ４版の記録シートＳを縦長方向に搬送する場合と横長方向に搬送する場合とでは撓みが発生した場合の剛性が異なり、その剛性に基づく転写位置での進行速度も異なる。このため、制御部１４では、例えば、上述した厚さ検知センサＳ４をサイズ検知センサに置き換えたり、あるいは、操作パネルでの選択によって記録シートＳの搬送形態を設定されると、その搬送形態に応じた記録シートＳの搬送方向でのサイズに応じて挟持圧力を変更する。本実施例では、横長の搬送形態の場合の方が縦長の搬送形態よりも撓んだ際の剛性が高まることに着目し、横長搬送の場合には、転写位置を記録シートＳの先端が通過する時点から５０ｍｍの位置で挟持圧力を２３Ｎに設定するようになっている。ちなみに、縦長搬送の場合には、上述した挟持圧力よりも弱い２０Ｎに設定されるようになっている。
この構成においては、撓んだ際の剛性が高い横長搬送形態が選択された場合に、この場合よりも剛性が低い縦長搬送が選択された場合よりも挟持圧力を高めることで転写位置での記録シートＳの押し進みによる搬送速度の変化を抑えることができる。これにより、記録シートＳの搬送過程全般での搬送速度の変化をなくすことで画像ずれをなくすことができる。
【００４４】
上記実施例では、多色重ねによるフルカラー画像を形成可能なカラー複写機を対象としたが、本発明では、図７に示すように、単色（モノクロ）画像を係止可能な画像形成装置（便宜上、符号１’で示す）を対象とすることも可能である、この場合には、感光体ドラム２に対して転写ローラ４Ｅが対峙して設けられており、図１に示した中間転写装置６はない。なお、図７において現像装置は単色（モノクロ）の現像トナーを供給できる構成であるので、便宜上、符号５’で示してある。
【００４５】
図７において、感光体ドラム２に対峙する転写ローラ６Ｅには、感光体ドラム２と協働して記録シートＳを挟持する際の圧力を変更するために、弾性体１１，カムフォロワ１２および偏心カム１３からなる構成が備えられている。この構成においては、図２乃至図５において説明した場合と同様な条件に基づいて挟持圧力が変更されるようになっている。
【００４６】
【発明の効果】
請求項１および２記載の発明によれば、第１の搬送部材によりシート材の挟持圧力および挟持圧力の変更タイミングがシート材の種類あるいはシート材の搬送路の雰囲気中での温湿度に応じて変更できるので、シート材と第１の搬送部材との間の滑りの大きさを雰囲気中での温湿度に応じて調整して搬送速度を変更することができる。これにより、搬送過程にあるシート材の搬送速度を搬送過程全般において温湿度に応じて一様とすることができるので、画像ずれを防止して画像品質が低下するのを防止することが可能になる。
【００５０】
請求項３記載の発明によれば、第１の搬送部材の挟持圧力をシート材のサイズに応じて変更できるので、シート材のサイズによる搬送速度の違いに拘わらず、シート材の搬送過程での搬送速度を一様化して画像ずれを確実に防止することが可能になる。
【００５１】
請求項４記載の発明によれば、シート材が画像転写部材に到達した時点とレジストローラからシート材が外れた時点での速度変化を矯正して一様な速度を維持することができる。これにより、シート材の搬送過程における速度変化を無くして画像ずれの発生がない良好な画像品質を得ることが可能になる。
【図面の簡単な説明】
【図１】本発明の実施の形態を説明するための画像形成装置の実施例を示す模式図である。
【図２】図１に示した画像形成装置に用いられるシート搬送部の要部構成を示す模式図である。
【図３】図１に示した画像形成装置に用いられるシート搬送部の要部に関する別実施例を説明するための模式図である。
【図４】図１に示した画像形成装置に用いられるシート搬送部の要部に関する他の実施例を説明するための模式図である。
【図５】図１に示した画像形成装置に用いられるシート搬送部の要部に関するさらに別の実施例を説明するための模式図である。
【図６】図２乃至図５に示した実施例に用いられる挟持圧力の変更部の構成を示す模式的な斜視図である。
【図７】図１に示した画像形成装置の別の例を示す模式図である。
【符号の説明】
１            画像形成装置の一つであるカラー複写機
２            感光体ドラム
６            中間転写装置
６Ｄ          中間転写ベルト
６Ｅ          第１の搬送部材に相当する転写ローラ
７            給紙装置
７Ｃ          給紙部の一つである給紙カセット
７Ｈ          給紙部の他の一つである手差し給紙部
８            第２の搬送部材に相当するレジストローラ
１１          挟持圧力変更部に設けられた弾性体
１２          挟持圧力変更部に設けられたカムフォロワ
１３          挟持圧力変更部に設けられた偏心カム
１４          制御部
Ｓ１，Ｓ２    給紙部センサ
Ｓ３          温湿度検知センサ
Ｓ４          厚さ検知センサ
【図１】
0004213854.tif 000002
【図２】
0004213854.tif 000003
【図３】
0004213854.tif 000004
【図４】
0004213854.tif 000005
【図５】
0004213854.tif 000006
【図６】
0004213854.tif 000007
【図７】
0004213854.tif 000008